(57)【要約】    【課題】レジャー用道具の種類に応じて整理して収納しやすく、且つ取り出しが容易なレジャー用ポーチの提供。    【解決手段】このポーチ１２は、ポーチ本体２４と、ポーチ本体２４の内部に設けられた枕部材１３とを有する。枕部材１３は、発泡樹脂からなるコア部材を備える。ポーチ本体２４は、一対のトレイ２５、２６を有し、両者が開閉することによって大型の開口３６が構成されている。枕部材１３は、面ファスナー４２によってポーチ本体２４に取り付けられている。両トレイ２５、２６間に回動規制帯３９が設けられている。【選択図】図６
2006034479.tif 000002
【特許請求の範囲】
【請求項１】
開閉自在な開口を有するポーチ本体と、
ポーチ本体の内壁部に設けられた枕部材とを有し、
枕部材は、発泡樹脂からなるコア部材を備えているレジャー用ポーチ。
【請求項２】
上記ポーチ本体は、上記枕部材を着脱自在に保持する保持部を備えている請求項１に記載のレジャー用ポーチ。
【請求項３】
上記保持部は、上記ポーチ本体と上記枕部材との間に配置された面ファスナーからなる請求項２に記載のレジャー用ポーチ。
【請求項４】
上記ポーチ本体は、
下縁同士が回動自在に連結された一対のトレイと、
各トレイの上縁及び両側縁同士を連結／連結解除するファスナーとを備えている請求項１ないし３のいずれかに記載のレジャー用ポーチ。
【請求項５】
上記各トレイの側縁同士を連結し、一方のトレイに対する他方のトレイの回動角度を一定角度以下に規制する回動規制部材が設けられている請求項４に記載のレジャー用ポーチ。
【請求項６】
上記ポーチ本体の外壁面に、当該ポーチ本体をレジャー用バッグに取り付けるための係合部が設けられている請求項１ないし５のいずれかに記載のレジャー用ポーチ。
【請求項７】
請求項６に記載のレジャー用ポーチと、
上記係合部と係合する被係合部が設けられたレジャー用バッグとを有し、
上記係合部は、上記外壁面に設けられた爪を備え、
上記被係合部は、上記爪を囲繞保持する爪収容部を備えているバッグシステム。
【発明の詳細な説明】
【技術分野】
【０００１】
本発明は、釣り等のレジャーの用に供されるポーチの構造に関するものである。
【背景技術】
【０００２】
例えば魚釣りでは、釣人は、実釣中にさまざまな釣道具を使用する。具体的には、ルアー釣りにおいては、釣人は、釣り場の状況に応じてルアーを頻繁に交換することがあり、また磯釣りにおいては、釣人は、フロートや錘を頻繁に交換することがある。釣人にとって、実釣中にさまざまな釣道具を常に携帯しておくことができれば非常に便利であることから、従来から、実釣中の釣人が常に携帯することができるウエストポーチ等の小物入れが提供されている（例えば、非特許文献１参照）。
【０００３】
【非特許文献１】株式会社シマノ 2004 Fishing Tackle Catalogue（第１９８頁）
【発明の開示】
【発明が解決しようとする課題】
【０００４】
しかしながら、従来の小物入れは、確かにさまざまな釣道具を収容することができるが、釣人にとって収納しやすく且つ取り出しやすいものではなかった。特に、ルアーの一種にエギと称される釣道具があるが、このエギは傘状の釣針を備えていることから、小物入れに乱雑に収容されると、釣人は、このエギの取り出しに苦労するばかりでなく、他の釣道具の収納・取出作業にも支障が生じる。
【０００５】
そこで、本発明の目的は、レジャー用道具の種類に応じて整理して収納しやすく、且つ取り出しが容易なレジャー用ポーチを提供することである。
【課題を解決するための手段】
【０００６】
(1) 上記目的が達成されるため、本発明に係るレジャー用ポーチは、開閉自在な開口を有するポーチ本体と、ポーチ本体の内壁部に設けられた枕部材とを有する。この枕部材は、発泡樹脂からなるコア部材を備えている。この構成によれば、枕部材が発泡樹脂からなるコア部材を備えているから、レジャー用品（例えば釣道具）として使用される針部材（例えば、ルアー用フック）がコア部材に容易に挿脱される。換言すれば、コア部材は、縫製用針を保持するいわゆる「針山」の役目を果たし、エギ等のルアーを確実に保持する。しかも所要時には、針部材はコア部材から容易に取り外される。
【０００７】
上記ポーチ本体は、上記枕部材を着脱自在に保持する保持部を備えているのが好ましい。これにより、枕部材が不要な場合（例えば、針部材を有しないレジャー用道具のみが収容される場合）には、枕部材は取り外される。この保持部は、上記ポーチ本体と上記枕部材との間に配置された面ファスナーから構成され得る。
【０００８】
上記ポーチ本体は、下縁同士が回動自在に連結された一対のトレイと、各トレイの上縁及び両側縁同士を連結／連結解除するファスナーとを備えて構成され得る。この場合、ポーチ本体は、二枚貝が開閉するように開閉することになり、各トレイの上縁及び両側縁がポーチ本体の開口の縁部を構成することになる。したがって、ポーチ本体は、大きな開口を持つことになり、レジャー用道具の出入作業が容易になる。
【０００９】
上記各トレイの側縁同士を連結し、一方のトレイに対する他方のトレイの回動角度を一定角度以下に規制する回動規制部材が設けられているのが好ましい。仮に、上記開口が無制限に開放されるならば（具体的には、両トレイの回動角度が１８０°まで許容されるならば）、上記開口が開放されたときにポーチ本体に収容されているレジャー用道具がすべて外部に出てしまうおそれがある。しかし、この回動規制部材が設けられることにより、上記開口は一定範囲内で開放されるので、レジャー用道具の取出作業が容易であり且つポーチ内からレジャー用道具が不用意に飛び出てしまうことはない。
【００１０】
上記ポーチ本体の外壁面に、当該ポーチ本体をレジャー用バッグに取り付けるための係合部が設けられているのが好ましい。この構成では、当該レジャー用ポーチは、他のレジャー用バッグと共に携帯され得る。
【００１１】
(2) 上記係合部が設けられたレジャー用ポーチと、上記係合部と係合する被係合部が設けられたレジャー用バッグとを備えたバッグシステムが構成され得る。この場合、上記係合部は、上記外壁面に設けられた爪を備え、上記被係合部は、上記爪を囲繞保持する爪収容部を備えて構成され得る。上記爪が上記爪収容部に嵌め込まれることによって、レジャー用ポーチは、簡単にレジャー用バッグに取り付けられる。また、上記爪が上記爪収容部から外されることによって、レジャー用ポーチは、簡単にレジャー用バッグから取り外される。
【発明の効果】
【００１２】
本発明によれば、ポーチ本体は、さまざまなレジャー用道具を収容することができる。特に、針部材を備えたレジャー用道具（典型的には、釣道具としてのルアー用フック）は、枕部材に容易に着脱され、しかも必要なときに容易に取り出される。したがって、針部材を有するレジャー用道具及びその他のレジャー用道具は、取り出しやすい状態でポーチ本体内に整理して収容される。
【発明を実施するための最良の形態】
【００１３】
以下、適宜図面が参照されつつ、好ましい実施形態に基づいて本発明が詳細に説明される。
【００１４】
図１は、本発明の一実施形態に係るバッグシステムの斜視図である。また、図２は、このバッグシステムの分解斜視図である。こられの図が示すように、バッグシステム１０は、レジャー用バッグ１１と、これに取り付けられたレジャー用ポーチ１２とを備えている。なお、本実施形態において、レジャー用バッグは、単に「バッグ」と称され、レジャー用ポーチは、単に「ポーチ」と称される。
【００１５】
バッグシステム１０は、特に魚釣り等のレジャーの用に供される。ポーチ１２は、魚釣りの際に釣人が使用する。釣人は、ポーチ１２にエギ等のルアー、釣針、釣糸、錘、鋏等の実釣時に必要なさまざまな釣道具を収容する。バッグ１１は、後述のように魚籠として利用され得る。もっとも、バッグ１１は、上記釣道具のほか釣用のタオル等のある程度大型の道具類を収容するために使用されてもよい。本実施形態に係るバッグシステム１０の特徴とするところは、ポーチ１２がバッグ１１に対して着脱自在に取り付けられている点、及びポーチ１２は、後述の枕部材１３を有しており、これにより、釣人は、針部材を備えた釣道具（典型的には、エギ等）を簡単にポーチ１２に出し入れすることができるようになっている点である。
【００１６】
図３は、バッグ１１の拡大斜視図である。バッグ１１は、本実施形態では、釣人の腰の部分に取り付けられるような大きさに設定されている。バッグ１１は、バッグ本体１４と蓋部材１５とを備えている。バッグ本体１４は、内部に収容室が形成された容器状に形成されている。バッグ本体１４は、この収容室を区画する内側容器を備えていてもよい。この内側容器は、例えば樹脂により一体的に形成され得る。この内側容器は、断熱材等により被服されていてもよい。
【００１７】
バッグ本体１４は、ピンオンリール取付部１８及びクリップ１９等を備えている。このクリップ１９は、タオル等を挟持することができる。ただし、これらピンオンリール取付部１８及びクリップ１９は、省略されてもよい。また、バッグ本体１４は、保護部材２０を備えている。この保護部材２０は、例えば樹脂製あるいは皮製の薄肉シートからなり、バッグ本体１４の底面及び側面下部を覆っている。この保護部材２０は、バッグ本体１４の緩衝部材としても機能するが、バッグ１２が魚籠として使用される場合には断熱材としても機能する。ただし、この保護部材２０も省略され得る。さらに、バッグ本体１４には、ベルト掛部２１が設けられている。図示されていないベルトがこのベルト掛部２１に掛けられ、釣人の腰に巻き回される。これにより、バッグ１１は、釣人の腰の部分に取り付けられ、釣人は、実釣において常時バッグ１１及びポーチ１０を携帯することができる。
【００１８】
蓋部材１５は、ファスナー１６を介してバッグ本体１４に取り付けられている。このため、蓋部材１５は、バッグ本体１４に対して開閉自在となっている。蓋部材１５は、扉１７を備えている。蓋部材１５の上面に窓が設けられており、この窓は、バッグ本体１４の収容室と連通している。扉１７は、この窓を開閉する。扉１７は、バッグ本体１４の内側に回動するようになっており、常時は、扉１７は、上記窓を閉塞している。扉１７は、例えばコイルバネによって回動付勢されている。釣人は、扉１７を開けることによって魚をバッグ本体１４に収容することができる。したがって、このバッグ１２は、前述のように、釣道具を収容する容器として使用されるほか釣れた魚を収容する魚籠としても使用され得る。
【００１９】
バッグ本体１４の側面には、ポーチ１２が取り付けられるための支持部２２（被係合部）が設けられている。この支持部２２に、後述されるポーチ１２の係合部２３が係合するようになっている。これにより、ポーチ１２がバッグ１１に対して着脱自在となっているが、この支持部２２及び係合部２３の具体的構造並びにポーチ１２の着脱要領については、後述される。
【００２０】
図４は、ポーチ１２の拡大斜視図である。また、図５及び図６は、開口が開放された状態でのポーチ１２の拡大斜視図である。ポーチ１２は、ポーチ本体２４と、ポーチ本体２４内に設けられた上記枕部材１３とを備えている。
【００２１】
ポーチ本体２４は、一対のトレイ２５、２６を備えている。トレイ２５は、略矩形状に形成されており、上縁２７、下縁２８及び両側縁２９、３０を備えている。トレイ２５は、例えば樹脂により一体的形成され得るが、他の材料により構成されていてもよい。トレイ２６もトレイ２５と同様の構成であり、上縁３１、下縁３２及び両側縁３３、３４を備えている。トレイ２５の下縁２８とトレイ２６の下縁３２とが連結されている。両者は、例えば布等からなる連結帯３７により連結されており、互いに回動自在となっている。また、両トレイ２５、２６の上縁２７、３１及び側縁２９、３０、３３、３４に沿ってファスナー３５が設けられている。このファスナー３５が操作されることによって、両トレイ２５、２６の上縁２７、３１同士、両側縁２９、３０、３３、３４同士が連結され、また連結が解除される。
【００２２】
すなわち、両トレイ２５、２６の上縁２７、３１及び側縁２９、３０、３３、３４によってポーチ本体２４の開口縁部が構成されており、ファスナー３５が操作されることによって、トレイ２５がトレイ２６に対して回動可能となり、ポーチ本体２４の開口３６が開閉される。本実施形態では、両トレイ２５、２６間に回動規制帯３９（回動規制部材）が設けられている。この回動規制帯３９は、トレイ２５、２６の側縁２９、３３同士及び側縁３０、３４同士を連結している。この回動規制帯３９は、上記連結帯３７と一体的に形成されていてもよいが、別部材として構成されていてもよい。この回動規制帯３９が設けられることにより、トレイ２６のトレイ２５に対する相対的回動が一定範囲に規制される。
【００２３】
図１が示すように、トレイ２６の外壁面にベルト４５が設けられている。このベルト４５は、その一部４６が外方に湾曲するようにトレイ２６に縫い付けられている。この湾曲された一部４６には、プライヤー、針外し等の道具が取り付けられるようになっている。
【００２４】
図５が示すように、トレイ２５の内壁面３８（ポーチ本体の内壁部）に上記枕部材１３が取り付けられている。本実施形態では、上記内壁面３８にポケット４０も設けられている。このポケット４０は、釣針や釣糸等の小物類を収容することができる。なお、このポケット４０は、トレイ２６側にも設けられていてもよいし、さらに多数設けられていてもよい。
【００２５】
枕部材１３は、図５が示すように、細長平板状に形成されている。この枕部材１３はコア部材を備えており、このコア部材が外布４１によって被服されている。コア部材は、発泡樹脂（典型的には、エチレン酢酸ビニル共重合体（ＥＶＡ））から構成されている。本実施形態では、枕部材１３は、トレイ２５の上縁２７の近傍に配置されている。ただし、枕部材１３は、他の部位に配置されていてもよい。
【００２６】
枕部材１３は、面ファスナー４２（保持部）によってトレイ２５に取り付けられている。この面ファスナー４２は、フックテープ４３とループテープ４４とを備えている。本実施形態では、フックテープ４３が枕部材１３の背面側に取り付けられ、ループテープ４４がトレイ２５の内壁面３８に取り付けられている。もっとも、フックテープ４３がトレイ２５の内壁面３８に取り付けられ、ループテープ４４が枕部材１３の背面側に取り付けられていてもよいことは勿論である。枕部材１３の背面がトレイ２５の内壁面３８に押し付けられることによって、枕部材１３は、簡単且つ確実にトレイ２５の内壁面３８に保持される。また、釣人は、図６が示すように枕部材１３を引っ張ることによって、簡単に枕部材１３をトレイ２５から取り外すことができる。なお、本実施形態では、トレイ２６の内壁面にも上記ループテープ４４が設けられている。これにより、枕部材１３は、トレイ２６側にも取り付けられ得る。
【００２７】
図７は、トレイ２５の要部拡大斜視図である。前述のように、トレイ２５の外壁面４７には、上記係合部２３が設けられている（図４参照）。図７は、この係合部２３の構造を詳細に示している。この係合部２３は、トレイ２５の外壁面４７に固定されたベース４８と、上記外壁面４７から外方に突出する爪４９とを備えている。これらは、樹脂により一体的に形成され得る。爪４９は、同図が示すように楕円形平板からなり、ベース４８と略平行に配置されている。爪４９は、一対の脚部５０によって支持されている。この脚部５０は、爪４９及びベース４８に連続しており、爪４９は、ベース４８から距離ｄだけ浮き上がった状態で配置されている。
【００２８】
図８は、バッグ本体１４の要部拡大斜視図である。前述のように、バッグ本体１４の側面には、上記支持部２２が設けられている（図３参照）。図８は、この支持部２２の構造を詳細に示している。この支持部２２は、バッグ本体１４の側面に固定されたベース５１と、ベース５１に立設された一対の壁部５２とを備えている。壁部５３は、ベース５１から起立しているが、この起立距離は、上記爪部４９と上記ベース４８との距離ｄに対応されている。ベース５１と壁部５２とは樹脂により一体的に形成され得る。一対の壁部５２は互いに対向しており、各壁部５２の上縁に押板５３が形成されている。この一対の壁部５２によって、爪収容部５４が形成されている。上記爪４９は、図８において上方からこの爪収容部５４に挿入されるようになっており、爪収容部５４は、上記爪４９を取り囲んで保持する。
【００２９】
本実施形態では、上記ベース５１にロック部材５５が設けられている。このロック部材５５は、上記ベース５１と一体的に形成されており、弾性変形することによって、上記ベース５１の表面（すなわちバッグ本体１４の側面）に対して直交する方向（矢印５６の方向）に変位する。つまり、ロック部材５５は、常時においては上記ベース５１から突出しているが、ロック部材５５が押圧されると、ロック部材５５はベース５１側に押し込まれるようになっている。
【００３０】
したがって、図２が示す状態からポーチ１２の係合部２３（図７参照）がバッグ１１の支持部２２（図８参照）に係合されると、上記爪４９が上記支持部２２の爪収容部５４に嵌め込まれる。具体的には、上記爪４９が上方から上記壁部５２間に挿入され、且つ上記押板５３によって囲繞される。このとき、上記ロック部材５５が上記爪４９の端部に当接し、これにより、上記係合部２３は、上記支持部２２に確実に係合する。つまり、ポーチ１２がバッグ１１に確実に取り付けられる。なお、このロック部材５５が押圧されることによって、ロック部材５５がベース５１側に押し込まれ、これにより、上記爪４９は、上記爪収容部５４から容易に取り外される。つまり、ポーチ１２は、バッグ１１から簡単に取り外される。
【００３１】
本実施形態に係るポーチ１２は、上記枕部材１３（図５、図６参照）を有し、この枕部材１３が発泡樹脂からなるコア部材を備えているいるから、例えば釣道具として使用される針部材（典型的には、エギ）が枕部材１３に容易に挿脱される。すなわち、上記コア部材は、縫製用針を保持するいわゆる「針山」の役目を果たし、エギ等のフックを容易且つ確実に保持する。しかも、釣人は、必要なときには、エギを枕部材１３から容易に取り外すことができる。
【００３２】
枕部材１３は、面ファスナー４２によりポーチ本体２４に取り付けられているから、釣人は、枕部材１３を簡単に着脱することができる。したがって、釣人は、枕部材１３が不要であると判断した場合（例えば、釣人がエギ等の針部材を有しない釣道具のみを携帯する場合）には、枕部材１３は取り外される。なお、本実施形態では、枕部材１３は面ファスナー４２を介してポーチ本体２４に取り付けられているが、枕部材１３をポーチ本体２４へ取り付けるための手段としては、スナップ等種々の手段が採用され得る。
【００３３】
特に本実施形態では、ポーチ本体２４が一対のトレイ２５、２６を備えていることから、ポーチ本体２４は、二枚貝が開閉するように開閉する。したがって、ポーチ本体２４は、大きな開口３６を持つことになり、その結果、釣人は、ポーチ１２からエギ等の釣道具を容易且つ迅速に出し入れすることができる。
【００３４】
さらに、本実施形態では、上記開口３６の開放を規制する回動規制帯３９を備えている。仮に、上記開口３６が無制限に開放されるならば（すなわち、両トレイ２５、２６の回動角度が１８０°まで許容されるならば）、上記開口３６が開放されたときにポーチ本体２４に収容されている釣道具がすべて外部に出てしまうおそれがある。しかし、この回動規制帯３９が設けられることにより、上記開口３６は、図５、図６が示すように一定範囲内で開放される。これにより、釣人は、釣道具の取出作業が容易であり、しかもポーチ１２内から釣道具が不用意に飛び出てしまうことはないという利点がある。
【００３５】
加えて、本実施形態では、ポーチ１２に上記係合部２３が設けられているから、このポーチ１２は、他の大型の釣用バッグ等に係合することが可能である。典型的には、本実施形態のように、ポーチ１２は、バッグ１１に取り付けられるが、クーラー等に取り付けられるように構成されていてもよい。これにより、釣人は、ポーチ１２を、バッグ１１やクーラー等の他の釣道具と共に携帯することができる。ポーチ１２がバッグ１１に着脱自在に取り付けられることによって、バッグシステム１０が構成されている。このバッグシステム１０によれば、釣人はさまざまな釣道具を実釣中に携帯することができるし、前述のように、バッグ１１を魚籠して使用することもできる。
【産業上の利用可能性】
【００３６】
本発明は、魚釣り等のレジャーのように供されるバッグ、ポーチこれらが組み合わされたバッグシステムに適用され得る。
【図面の簡単な説明】
【００３７】
【図１】図１は、本発明の一実施形態に係るバッグシステムの斜視図である。
【図２】図２は、本発明の一実施形態に係るバッグシステムの分解斜視図である。
【図３】図３は、本発明の一実施形態に係るバッグの拡大斜視図である。
【図４】図４は、本発明の一実施形態に係るポーチの拡大斜視図である。
【図５】図５は、本発明の一実施形態に係るポーチの拡大斜視図であって、開口が開放された状態が示されている。
【図６】図６は、本発明の一実施形態に係るポーチの拡大斜視図であって、開口が開放された状態が示されている。
【図７】図７は、本発明の一実施形態に係るポーチのトレイの要部拡大斜視図である。
【図８】図８は、本発明の一実施形態に係るバッグのバッグ本体の要部拡大斜視図である。
【符号の説明】
【００３８】
１０・・・バッグシステム
１１・・・バッグ
１２・・・ポーチ
１３・・・枕部材
１４・・・バッグ本体
２２・・・支持部
２３・・・係合部
２４・・・ポーチ本体
２５・・・トレイ
２６・・・トレイ
２７・・・上縁
２８・・・下縁
２９、３０・・・側縁
３１・・・上縁
３２・・・下縁
３３、３４・・・側縁
３５・・・ファスナー
３６・・・開口
３７・・・連結帯
３８・・・内壁面
３９・・・回動規制帯
４１・・・外布
４２・・・面ファスナー
４３・・・フックテープ
４４・・・ループテープ
４７・・・外壁面
４８・・・ベース
４９・・・爪
５０・・・脚部
５１・・・ベース
５２・・・壁部
５３・・・押板
５４・・・爪収容部
５５・・・ロック部材
【図１】
2006034479.tif 000003
【図２】
2006034479.tif 000004
【図３】
2006034479.tif 000005
【図４】
2006034479.tif 000006
【図５】
2006034479.tif 000007
【図６】
2006034479.tif 000008
【図７】
2006034479.tif 000009
【図８】
2006034479.tif 000010